(57)【要約】【課題】  各筒状体の伸縮操作を円滑に維持しながら、尻栓内への砂等の侵入を抑制できる振出式筒状体を提供する。【解決手段】  手元側筒状体用尻栓１１の手元側端面に懐空間Ａに連通する尻栓用尻栓用貫通孔１１Ｃを形成する。手元側筒状体用尻栓１１の先側に配置した手元側筒状体用座ゴム４に懐空間Ａと手元側筒状体１０の内部空間とを連通させる座ゴム用貫通孔４Ａを形成する。懐空間Ａ内に、玉の柄Ｂを上下向き姿勢にして尻栓を接地させた場合に、尻栓用貫通孔１１Ｃを閉塞することが可能な球状の開閉用移動体１を自由移動可能に収納してある。【選択図】        図１
2008263818.tif 000002
【特許請求の範囲】
【請求項１】
穂先側筒状体、中間側筒状体、手元側筒状体を連結し、前記手元側筒状体の元端に尻栓を装着するとともに、前記手元側筒状体の内部空間における尻栓装着部位の先側に、前記手元側筒状体内に収納された前記中間側筒状体及び前記穂先側筒状体の元側端を受け止める受止具を設けてある振出式の筒状体であって、
前記尻栓の手元側端面に前記尻栓の内部空間に連通する尻栓用貫通孔を形成するとともに、前記受止具に前記尻栓の内部空間と前記手元側筒状体の内部空間とを連通させる受止具用貫通孔を形成し、前記尻栓の内部空間に前記尻栓用貫通孔を閉塞することが可能な開閉用移動体を自由移動可能に収納してある振出式の筒状体。
【請求項２】
前記尻栓用貫通孔の前記内部空間に臨む開口部位に、前記開閉用移動体を載置して前記尻栓用貫通孔を閉塞することができる載置座を形成してある請求項１記載の振出式の筒状体。
【請求項３】
前記開閉用移動体が球状体である請求項１または２記載の振出式の筒状体。
【発明の詳細な説明】
【技術分野】
【０００１】
本発明は、穂先側筒状体、中間側筒状体、手元側筒状体を連結し、前記手元側筒状体の元端に尻栓を装着するとともに、前記手元側筒状体の内部空間における尻栓装着部位の先側に、前記手元側筒状体内に収納された前記中間側筒状体及び前記穂先側筒状体の元側端を受け止める受止具を設けてある振出式の筒状体に関する。
【背景技術】
【０００２】
振出式の筒状体においては、尻栓の軸線位置に貫通孔を設け、その貫通孔を通して、筒状体内に空気を導入して、密閉した状態において散見された、各筒状体を収納状態より伸長状態に切り換える際の、伸長作動が迅速円滑に行えなかった点の改善を目的としていた（特許文献１参照）。
このような構成によって、穂先側筒状体及び中間側筒状体を手元側筒状体に対して出し入れする場合に、手元側筒状体の内部空間への空気の出入りを可能として、空気の出入りがない場合に比べて、小径竿体の出し入れを円滑に行える構成を採っている。
【０００３】
【特許文献１】特開２００６−２２３１８２号公報（段落番号〔００１７〕、及び、図２、図４）
【発明の開示】
【発明が解決しようとする課題】
【０００４】
上記構成においては、尻栓に開口が形成されているので、玉の柄を上下向き姿勢にして尻栓を接地させた場合には、開口を通して砂等が入り易く、改善の余地があった。
【０００５】
本発明の目的は、各筒状体の伸縮操作を円滑に維持しながら、尻栓内への砂等の侵入を抑制できる振出式筒状体を提供する点にある。
【課題を解決するための手段】
【０００６】
〔構成〕
請求項１に係る発明の特徴構成は、前記尻栓の手元側端面に前記尻栓の内部空間に連通する尻栓用貫通孔を形成するとともに、前記受止具に前記尻栓の内部空間と前記手元側筒状体の内部空間とを連通させる受止具用貫通孔を形成し、前記尻栓の内部空間に前記尻栓用貫通孔を閉塞することが可能な開閉用移動体を自由移動可能に収納してある点にあり、その作用効果は次の通りである。
【０００７】
〔作用〕
貫通孔を通して、尻栓の内部空間及び手元側筒状体の内部空間が外方空間と空気の流通が可能となるので、各筒状体の出し入れを円滑に行うことができる。
しかも、尻栓の内部空間内に開閉用移動体を収納したので、玉の柄を上下向き姿勢にして尻栓を接地させても、開閉用移動体が尻栓内を自由に移動して、貫通孔を閉塞するので、砂等の侵入を阻止することができる。
反対に、各筒状体を横向き姿勢に戻して振出操作を行う場合には、開閉用移動体が貫通孔より離れるように移動するので、貫通孔より空気が導入され、尻栓の内部空間等が密閉状態となることはない。
【０００８】
〔効果〕
したがって、各筒状体の出し入れが容易に行える振出式筒状体を構成できながら、砂等が入り難い尻栓を設けることができた。
【０００９】
〔構成〕
請求項２に係る発明の特徴構成は、請求項１に係る発明において、前記尻栓用貫通孔の前記内部空間に臨む開口部位に、前記開閉用移動体を載置して前記尻栓用貫通孔を閉塞することができる載置座を形成してある点にあり、その作用効果は次の通りである。
【００１０】
〔作用効果〕
振出式筒状体を上下向き姿勢にして尻栓を接地させた場合に、開閉用移動体は、内部空間を移動して載置座に載置される。載置座に載置された開閉用移動体は、尻栓用貫通孔を閉塞し、砂等が侵入するのを阻止する。
したがって、載置座を形成することによって、開閉用移動体の尻栓内での位置決めが容易になるとともに、安定した状態で開閉用移動体を閉塞状態に維持できる。
【００１１】
〔構成〕
請求項３に係る発明の特徴構成は、前記開閉用移動体が球状体である点にあり、その作用効果は次の通りである。
【００１２】
〔作用効果〕
開閉用移動体が球状体であるので、尻栓の内部空間内を移動しやすく、尻栓用貫通孔を閉塞する状態と、尻栓用貫通孔を開放する状態に切り換えるのが容易である。
【発明を実施するための最良の形態】
【００１３】
〔第１実施形態〕
振出式筒状体としての玉の柄Ｂについて説明する。図４に示すように、玉の柄Ｂは、玉網８を穂先側筒状体７に口ゴム２を介して装着するとともに、中間側筒状体９、手元側筒状体１０を振出式に連結して構成してある。手元側筒状体１０の元側には手元側筒状体用尻栓１１を装着してある。
【００１４】
中間側筒状体９について説明する。図１に示すように、中間側筒状体９の元側端部９Ａに中間側筒状体用尻栓６を螺着するとともに、中間側筒状体用尻栓６の先側に中間側筒状体用座ゴム５が螺着してあり、この中間側筒状体用座ゴム５で、他の小径中間側筒状体９や穂先側筒状体７の元側端を受け止めるべく構成してある。
【００１５】
手元側筒状体１０について説明する。図１に示すように、手元側筒状体１０の元側端部１０Ａに手元側筒状体用尻栓１１を装着するとともに、手元側筒状体用尻栓１１の先側に受止具としての手元側筒状体用座ゴム４が装着してあり、この手元側筒状体用座ゴム４で、他の中間側筒状体９の元側端を受け止めるべく構成してある。
手元側筒状体用尻栓１１と手元側筒状体１０の元側端との間に装着してあるのは、手元側筒状体用尻栓１１の緩み止め用Ｏリング３である。
【００１６】
図１に示すように、手元側筒状体用尻栓１１は、手元側に大径の摘み部１１Ａを形成し、摘み部１１Ａの先側に小径の筒状部１１Ｂを形成し、筒状部１１Ｂの外周面に雄ネジ部１１ａを形成し、手元側筒状体１０の元側端部１０Ａの内ネジ部１０ａに螺着してある。
大径の摘み部１１Ａと小径の筒状部１１Ｂとを一体に形成する。材料は、アルミやチタン等の軽量金属、又は、ステンレス等を使用してもよい。
【００１７】
図１に示すように、大径の摘み部１１Ａと小径の筒状部１１Ｂとに亘って、手元側筒状体用座ゴム４に向けて開口する内部空間としての懐空間Ａを形成してありこの懐空間Ａ内に、開閉用移動体１が自由移動可能に収納してある。
開閉用移動体１は、球状体であり、自由に懐空間Ａの内周面上を転動移動可能であるとともに、大径の摘み部１１Ａの中心位置に尻栓用貫通孔１１Ｃが形成してあり、この尻栓用貫通孔１１Ｃを通して、大径の摘み部１１Ａの懐空間Ａと手元側筒状体用尻栓１１の外部空間とを連通させ、手元側筒状体用尻栓１１の外部空間から懐空間Ａ内へ空気を導入すべく構成してある。
【００１８】
尻栓用貫通孔１１Ｃは、開閉用移動体１を載置することが可能な杯形又はお椀形に形成してあり、開閉移動体１は、尻栓用貫通孔１１Ｃに嵌り込むことによって、尻栓用貫通孔１１Ｃに蓋をすることとなり、外部からの泥の侵入等を阻止できる。
尻栓用貫通孔１１Ｃにおける内部空間Ａに臨む開口部位に、開閉用移動体１を載置して尻栓用貫通孔１１Ｃを閉塞することができる載置座１１ａを形成してある。これによって、安定した状態で開閉用移動体１を閉塞状態に維持できる。
【００１９】
以上のような構成において、図１（イ）に示すように、手元側筒状体用尻栓１１を下向きに接地させた場合には、開閉用移動体１は、懐空間Ａの内周面を転がり移動して、尻栓用貫通孔１１Ｃの載置座１１ａに嵌り込み、尻栓用貫通孔１１Ｃを閉塞する。これによって、手元側筒状体用尻栓１１を接地させた場合にも、尻栓用貫通孔１１Ｃより砂等が侵入することを阻止することができる。
【００２０】
魚を掬うために、図１（ロ）に示すように、玉網８をやや下向きにして穂先側筒状体７、及び、中間側筒状体９を海面に向けて繰り出していく場合には、開閉用移動体１は尻栓用貫通孔１１Ｃを離れて手元側筒状体用座ゴム４に向けて移動する。この移動によって、尻栓用貫通孔１１Ｃから懐空間Ａ内に空気が導入され、さらに、懐空間Ａから手元側筒状体１０内に空気が導入される。この場合に、開閉用移動体１は手元側筒状体用座ゴム４に向けて移動しながら、懐空間Ａに導入された空気を手元側筒状体用座ゴム４に形成した貫通孔４Ａを通して手元側筒状体１０内に押し込む働きをしている。
【００２１】
このような開閉用移動体１の働きによって、中間側筒状体９、穂先側筒状体７を勢い良く繰り出すことができ、玉網８を迅速に海面上に到達させて、魚を簡単に掬うことが可能になる。
【００２２】
〔別実施形態〕
（１）手元側筒状体用尻栓１１に形成する尻栓用貫通孔１１Ｃとしては、図２に示すように、中心位置に単一の貫通孔を設けるのではなく、小径として、複数個の尻栓用貫通孔１１Ｃを形成してもよい。こうすることによって、懐空間Ａ内に導入する風量を単一の貫通孔に相当するものとしながら、砂等が入り難い構成とすることができる。
ただし、この場合にも、手元側筒状体用尻栓１１を接地させた状態では、開閉用移動体１が各尻栓用貫通孔１１Ｃを閉塞するように構成する。
（２）手元側筒状体用座ゴム４に形成する貫通孔４Ａとしては、中心位置に単一の貫通孔４Ａではなく、周縁部の近傍に、円周方向複数箇所に設ける構成を取ってもよい。このような構成とすることによって、図３に示すように、玉網８を繰り出す場合にも、開閉用移動体１が手元側筒状体用座ゴム４に形成する貫通孔４Ａを全て塞ぐことはなく、手元側筒状体１０内に空気を導入する状態を維持できる。
（３）尻栓用貫通孔１１Ｃに形成した載置座１１ａについては、特に設けなくてもよい。
（３）振出式筒状体としては、振出竿に適用できる。
（４）受止具としては、ゴム製ではなく、樹脂等で構成してもよい。
【図面の簡単な説明】
【００２３】
【図１】（イ）玉の柄を上下向き姿勢にして、尻栓を接地させた状態を示す縦断側面図、（ロ）玉の柄の中間側筒状体を繰り出す状態を示す側面図
【図２】尻栓の貫通孔を複数個設けた状態を示す別実施構造を示す縦断側面図
【図３】手元側筒状体用座ゴムの貫通孔を複数個設けた状態を示す縦断側面図
【図４】玉の柄を示す斜視図
【符号の説明】
【００２４】
１            開閉用移動体
４            手元側筒状体用座ゴム（受止具）
７            穂先側筒状体
９            中間側筒状体
１０          手元側筒状体
１１          手元側筒状体用尻栓
１１Ｃ        尻栓用貫通孔
１１ａ        載置座
Ａ            懐空間
【図１】
2008263818.tif 000003
【図２】
2008263818.tif 000004
【図３】
2008263818.tif 000005
【図４】
2008263818.tif 000006